(57)【要約】      （修正有）【課題】ペーパーフィードデバイスを提供する。【解決手段】ペーパーフィードデバイス１００はスキャナー内に取り付けられ、スキャンを待つ紙を送り入れられ、ペーパーピックアップローラーユニット１０、速度センサー２０、ペーパーフィードローラーユニット３０を有する。ペーパーピックアップローラーユニット１０はスキャンを待つ紙をピックアップし、前方へと送り入れる。速度センサー２０はペーパーピックアップローラーユニット１０上に取り付けられ、ペーパーピックアップローラーユニット１０の回転速度を感知し、スキャンを待つ紙が前方へと送り入れられる速度を知る。ペーパーフィードローラーユニット３０はペーパーピックアップローラーユニット１０の前方に設置され、ペーパーピックアップローラーユニット１０が送ってきたスキャンを待つ紙を継続して前方へと送り入れる。【選択図】図１
0003209041.tif 000002
【実用新案登録請求の範囲】
【請求項１】
ペーパーフィードデバイスであって、スキャナー内に取り付けられ、スキャンを待つ紙を送り入れられ、少なくとも１個のモーター、ペーパーピックアップローラーユニット、速度センサー、ペーパーフィードローラーユニットを有し、
前記ペーパーピックアップローラーユニットは、モーターと連接し、スキャンを待つ紙をピックアップし、前方へと送り入れ、
前記速度センサーは、ペーパーピックアップローラーユニット上に取り付けられ、ペーパーピックアップローラーユニットの回転速度を感知し、こうしてスキャンを待つ紙が前方へと送り入れられる速度を知り、
前記ペーパーフィードローラーユニットは、モーターと連接し、ペーパーピックアップローラーユニットの前方に設置され、ペーパーピックアップローラーユニットが送ってきたスキャンを待つ紙を、継続して前方へと送り入れることを特徴とするペーパーフィードデバイス。
【請求項２】
前記ペーパーピックアップローラーユニットは、ペーパーピックアップローラー軸、前記ペーパーピックアップローラー軸上に枢接するペーパーピックアップローラーを有し、
前記速度センサーは、前記ペーパーピックアップローラー軸上に取り付けられることを特徴とする請求項１に記載のペーパーフィードデバイス。
【請求項３】
前記速度センサーは、光学回転エンコーダーであることを特徴とする請求項２に記載のペーパーフィードデバイス。
【請求項４】
前記光学回転エンコーダーは、光源、コードディスク、受光器を有し、
前記コードディスクは、ペーパーピックアップローラー軸上に固定され、ペーパーピックアップローラー軸と同速回転し、前記コードディスク上には、環状に等間隔配列を呈する複数の開孔を開設し、
前記光源は、コードディスクの一方の側に設置され、
前記受光器は、コードディスクの反対の側に設置され、
前記光源と前記受光器とは、ペーパーピックアップローラー軸の回転に従わず、ペーパーピックアップローラー軸が回転すると、前記光源はオンとなり、コードディスクは、ペーパーピックアップローラー軸に従いいっしょに回転し、前記受光器は、回転時に前記開孔を通った光線を受け取ることを特徴とする請求項３に記載のペーパーフィードデバイス。
【考案の詳細な説明】
【技術分野】
【０００１】
本考案はスキャナーに関し、特にスキャナー内に設置し、スキャン効果に優れ、コストが低廉なペーパーフィードデバイスに関する。
【背景技術】
【０００２】
従来の多機能事務機或いはスキャナーのペーパーフィードデバイスは通常は、ペーパーピックアップローラーユニット、ペーパーフィードローラーユニット、スキャンセンサーを有する。
ペーパーピックアップローラーユニットは、モーターにより回転を連動し、スキャンを待つ紙をピックアップし、ペーパーフィードローラーに送る。
ペーパーフィードローラーは、ペーパーピックアップローラーユニットにより連動され、送られてきた紙前方へと送り込む。
紙の前端縁がスキャンセンサーに接触すると、スキャンスイッチは起動され、スキャンを開始する。
【０００３】
しかし、スキャンセンサーのコストは高い。
また、スキャンセンサーはスキャンスイッチだけを起動でき、ペーパーフィードの速度を知ることができないため、スキャン過程において、各種原因により、ペーパーフィードの速度が遅くなったり速くなったりすることがある。
こうして、スキャンイメージが、短く、或いは長くなり、スキャンの品質に悪影響を及ぼす。
よって、スキャナーのスキャン効果を上げ、コストを下げることができる新しいペーパーフィードデバイスが求められている。
【考案の概要】
【考案が解決しようとする課題】
【０００４】
本考案の目的はスキャナー内に設置し、スキャン効果に優れ、コストが低廉なペーパーフィードデバイスを提供することにある。
【課題を解決するための手段】
【０００５】
本考案によるペーパーフィードデバイスは、スキャナー内に取り付けられ、スキャンを待つ紙を送り入れられ、少なくとも１個のモーター、ペーパーピックアップローラーユニット、速度センサー、ペーパーフィードローラーユニットを有する。
該ペーパーピックアップローラーユニットは、モーターと連接し、スキャンを待つ紙をピックアップし、前方へと送り入れる。
該速度センサーは、ペーパーピックアップローラーユニット上に取り付けられ、ペーパーピックアップローラーユニットの回転速度を感知し、こうしてスキャンを待つ紙が前方へと送り入れられる速度を知る。
該ペーパーフィードローラーユニットは、モーターと連接し、ペーパーピックアップローラーユニットの前方に設置され、ペーパーピックアップローラーユニットが送ってきたスキャンを待つ紙を、継続して前方へと送り入れる。
【考案の効果】
【０００６】
本考案によるペーパーフィードデバイスは、ペーパーピックアップローラーユニット上に速度センサーを取り付けることで、ペーパーフィードの速度をリアルタイムで知ることができ、こうしてスキャン過程におけるスキャンイメージの短縮或いは引き伸ばしを回避でき、イメージスキャンの品質を向上させられる。
本考案によるペーパーフィードデバイスには、スキャンセンサーを設置不要で、ペーパーピックアップローラーユニットのペーパーピックアップ時とペーパーフィード時の速度の差異の変化に基づき、リアルタイムでスキャンスイッチを起動し、スキャンを開始でき、こうして製造コストを低下させられる。
【図面の簡単な説明】
【０００７】
【図１】本考案によるペーパーフィードデバイスの実施形態の立体図である。
【図２】本考案によるペーパーフィードデバイスの作動状態の模式図である。
【図３】本考案によるペーパーフィードデバイスの受光器が紙の送り入れが異なる段階にある時のコードディスク回転周波数の変化を感知する模式図である。
【考案を実施するための形態】
【０００８】
（一実施形態）
図１、図２に示す通り、本考案によるペーパーフィードデバイス１００は、スキャナー（図示なし）或いは多機能事務機（図示なし）内に取り付け、スキャンを待つ紙２００を送り込み、少なくとも１個のモーター（図示なし）、ペーパーピックアップローラーユニット１０、速度センサー２０、ペーパーフィードローラーユニット３０を有する。
【０００９】
図１、図２に示す通り、ペーパーピックアップローラーユニット１０は、モーターと連接し、ペーパーピックアップローラー軸１１、ペーパーピックアップローラー軸１１上に枢接するペーパーピックアップローラー１２を有する。
ペーパーピックアップローラーユニット１０は、スキャンを待つ紙２００をピックアップし、前方へと送り入れる。
【００１０】
図１乃至図３に示す通り、速度センサー２０は、ペーパーピックアップローラーユニット１０上に取り付けられる。
具体的には、速度センサー２０は、ペーパーピックアップローラー軸１１上に取り付けられ、ペーパーピックアップローラーユニット１０の回転速度を探知し、こうしてスキャンを待つ紙２００が前方へと送り入れられる速度を知ることができる。
速度センサー２０は、光学回転エンコーダーで、光学回転エンコーダーは、光源２１、コードディスク２２、受光器２３を有する。
コードディスク２２上には、環状に等間隔配列を呈する複数の開孔２２１を開設する。
コードディスク２２は、ペーパーピックアップローラー軸１１の一方の側に固定され、光源２１は、コードディスク２２の一方の側に設置され、受光器２３は、コードディスク２２の反対の側に設置される。
【００１１】
スキャナー或いは多機能事務機がオンになると、光源２１は起動され、モーターは、ペーパーピックアップローラーユニット１０の回転を駆動し、ペーパーをピックアップする。
この時、コードディスク２２は、ペーパーピックアップローラー軸１１に従い同速で回転し、光源２１と受光器２３とは、ペーパーピックアップローラー軸１１の回転に従わない。
受光器２３は、回転時に開孔２２１を通った光線を受け取り、１個の開孔２２１に対応し、１個のパルスを出力する。
よって、パルス出力の回数により、回転量、即ち回転速度を測定できる。
【００１２】
図３に示す通り、スキャン時には、ペーパーピックアップローラーユニット１０は、速度が異なる状況下で、受光器２３は、コードディスク２２のパルスの周波数変化図を受け取る。
予め設定して時間内で、ペーパーピックアップローラーユニット１０の速度が遅くなれば、単位時間内のパルスの数は少なくなり、速度が速くなれば、単位時間内のパルスの数は多くなる。
【００１３】
図１、図２に示す通り、ペーパーフィードローラーユニット３０は、モーターと連接し、ペーパーピックアップローラーユニット１０の前方に設置され、ペーパーピックアップローラーユニット１０から送られてきたスキャンを待つ紙２００を、継続して前方へスキャン通路３００へ送り込む。
【００１４】
図１〜図３に示す通り、本考案ペーパーフィードデバイス１００の作動時には、先ず、モーターは、ペーパーピックアップローラーユニット１０とペーパーフィードローラーユニット３０を連動し、それぞれ異なる速度で回転させる。
ペーパーフィードローラーユニット３０の速度は、ペーパーピックアップローラーユニット１０より速い。
ペーパーピックアップローラーユニット１０はローリングし、スキャンを待つ紙２００をピックアップし、予め設定した速度で前方へと送り込む。
紙２００がペーパーフィードローラーユニット３０におくり入れられた後、ペーパーフィードローラーユニット３０は紙２００を連動し、加速して送り込む。
この時、ペーパーピックアップローラーユニット１０は、紙２００に引かれ、回転を加速する。
こうして、ペーパーピックアップローラーユニット１０は、ペーパーピックアップを開始したばかりの時の速度に比べ、速度の差異を生じる。
【００１５】
速度の差異が、予め設定した数値に達すると（速度差異は、受光器２３がコードディスク２２パルスの周波数変化を受け取り、それを比較して算出する。図３中のＳ１はペーパーピックアップローラーユニット１０が、スキャンを待つ紙２００をピックアップしたばかりの時の受光器２３が受け取ったパルス周波数で、Ｓ２はペーパーフィードローラーユニット３０が紙２００を連動して送り込みを加速した時の受光器２３が受け取ったパルス周波数で、Ｓ３は紙２００がペーパーピックアップローラーユニット１０を離れた時に受光器２３が受け取ったパルス周波数である）、スキャンスイッチ（図示なし）を起動し、スキャンを開始する。
スキャン時間点と、従来の、紙２００によりスキャンセンサー（図示なし）を起動しスキャンを行う適時性の基本は相同である。
こうして、スキャンセンサーを設置しなくとも、紙２００に対してリアルタイムにスキャンを行うことができる。
また、回転周波数の変化に基づき、スキャン過程中の紙２００のフィードのリアルタイム速度を探知できる。
こうして、速度の違いに基づき、スキャンの縮尺比率を対応して調整可能で、スキャン過程において、スキャンイメージが短くなったり長くなったりすることはなく、イメージスキャンの品質を高めることができる。
【００１６】
さらに、ペーパーピックアップローラーユニット１０のペーパーピックアップ時の速度変化を探知することで、ペーパーフィードの過程で紙詰まりが発生したか否かを探知することができる。
こうして、紙詰まり発生時にはコマンドを発し、モーターの運転を停止し、紙２００の破損を回避できる。
【００１７】
本考案ペーパーフィードデバイス１００は、ペーパーピックアップローラーユニット１０のペーパーピックアップローラー軸１１上に、速度センサー２０を取り付け、ペーパーフィードの速度をリアルタイムで知ることができ、スキャン過程において、スキャンイメージが短縮或いは引き伸ばされることはなく、イメージスキャンの品質を向上させられる。
ペーパーフィードデバイス１００には、スキャンセンサーを設置不要で、ペーパーピックアップローラーユニット１０のペーパーピックアップ時とペーパーフィード時の速度の差異の変化に基づき、リアルタイムでスキャンスイッチを起動し、スキャンを開始でき、こうして、製造コストを低下させられる。
【符号の説明】
【００１８】
１００  ペーパーフィードデバイス
１０  ペーパーピックアップローラーユニット
１１  ペーパーピックアップローラー軸
１２  ペーパーピックアップローラー
２０  速度センサー
２１  光源
２２  コードディスク
２２１  開孔
２３  受光器
３０  ペーパーフィードローラーユニット
２００  紙
３００  スキャン通路
【図１】
0003209041.tif 000003
【図２】
0003209041.tif 000004
【図３】
0003209041.tif 000005